(57)【特許請求の範囲】
【請求項１】
冷蔵室と、
前記冷蔵室内に設けられたチルド室と、
前記チルド室内に引き出し自在に配された容器と、
前記チルド室の背面に設けられた冷気の吹き出し口と、
前記チルド室の天井板の前端と前記容器の前面上端部との間をシールする蓋と、
前記容器の側面側に設けられ、前記容器を引き出したときに前記蓋を押圧して開ける前部から中央部に行くほど膨らんだ膨らみ部と、
前記天井板から下方に突出し、前記蓋を回動自在に支持する支持片と、
を有し、
前記天井板の前記前端は、前記支持片が突出した位置から前記蓋の上端部の位置までさらに前方に延びている、
冷蔵庫。
【請求項２】
前記蓋には、前記膨らみ部が当たる押圧片が設けられている、
請求項１に記載の冷蔵庫。
【請求項３】
前記蓋は、前記天井板から前記容器の前面上端部に垂れ下がっている、
請求項１に記載の冷蔵庫。
【請求項４】
前記蓋が、前記天井板の前端部に対しヒンジ結合によって回動自在である、
請求項３に記載の冷蔵庫。
【請求項５】
冷蔵室と、
前記冷蔵室内に設けられたチルド室と、
前記チルド室内に引き出し自在に配された容器と、
前記チルド室の背面に設けられた冷気の吹き出し口と、
前記チルド室の天井板の前端と前記容器の前面上端部との間をシールする蓋と、
を有し、
前記蓋は、前記容器の前方をスライドして上下動する、
冷蔵庫。
【請求項６】
前記容器が、上容器と下容器の上下二段から構成される、
請求項１又は５に記載の冷蔵庫。
【請求項７】
前記上容器の前面板と前記下容器の前面板によって、前記上容器と前記下容器の前面がシールされている、
請求項６に記載の冷蔵庫。
【請求項８】
前記上容器の上面が開口している、
請求項７に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室には、肉や魚などの食品をチルド温度で収納するためのチルド室が設けられ、このチルド室には、容器が引き出し自在に配されている。
【先行技術文献】
【特許文献】
【０００３】
【特許文献１】特開２００１−３３０３６１号公報
【特許文献２】特開２００３−３２９３６２号公報
【特許文献３】特開２００９−４７３８４号公報
【発明の概要】
【発明が解決しようとする課題】
【０００４】
上記のようなチルド室において、チルド室内の冷気が冷蔵室に漏れて、冷蔵室内の冷蔵温度と同じになり、チルド室内の容器に収納されている食品が充分冷却できないという問題点があった。
【０００５】
そこで、本発明の実施形態は上記問題点に鑑み、チルド室の容器内の食品が充分に冷却できる冷蔵庫を提供することを目的とする。
【課題を解決するための手段】
【０００６】
本発明の実施形態は、冷蔵室と、前記冷蔵室内に設けられたチルド室と、前記チルド室内に引き出し自在に配された容器と、前記チルド室の背面に設けられた冷気の吹き出し口と、前記チルド室の天井板の前端と前記容器の前面上端部との間をシールする蓋と、前記容器の側面側に設けられ、前記容器を引き出したときに前記蓋を押圧して開ける前部から中央部に行くほど膨らんだ膨らみ部と、前記天井板から下方に突出し、前記蓋を回動自在に支持する支持片と、を有し、前記天井板の前記前端は、前記支持片が突出した位置から前記蓋の上端部の位置までさらに前方に延びている、冷蔵庫である。また、本発明の実施形態は、冷蔵室と、前記冷蔵室内に設けられたチルド室と、前記チルド室内に引き出し自在に配された容器と、前記チルド室の背面に設けられた冷気の吹き出し口と、前記チルド室の天井板の前端と前記容器の前面上端部との間をシールする蓋と、を有し、前記蓋は、前記容器の前方をスライドして上下動する、冷蔵庫である。
【図面の簡単な説明】
【０００７】
【図１】本発明の一実施形態を示す冷蔵庫の正面図。
【図２】冷蔵庫の縦断面図。
【図３】チルド室の正面図。
【図４】チルド室の側方から見た縦断面図。
【図５】上容器と下容器の正面から見た拡大縦断面図。
【図６】上容器と下容器とを収納した状態の要部拡大縦断面図。
【図７】上容器を引き出した状態の要部拡大縦断面。
【図８】下容器を引き出した状態の要部拡大縦断面。
【図９】上容器と下容器とを収納した状態の変更例１の要部拡大縦断面図。
【図１０】上容器と下容器とを収納した状態の変更例２の要部拡大縦断面図。
【発明を実施するための形態】
【０００８】
以下、一実施形態の冷蔵庫１０について図１〜図８に基づいて説明する。
【０００９】
（１）冷蔵庫１０の構造
冷蔵庫１０の構造について図１と図２に基づいて説明する。図１は冷蔵庫１０の正面図、図２は冷蔵庫１０の側面から見た縦断面図である。
【００１０】
冷蔵庫１０のキャビネット１２は断熱箱体であって、内箱と外箱とより形成され、その間に断熱材が充填されている。このキャビネット１２内部は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２２の間には水平な断熱仕切体３６が設けられている。冷蔵室１４と野菜室１６とは水平な仕切体３８によって仕切られている。冷蔵室１４の前面には、観音開き式の扉１４ａ，１４ｂが設けられ、野菜室１６、小型冷凍室１８、冷凍室２０及び製氷室２１にはそれぞれ引出し式の扉１６ａ，１８ａ，２０ａ，２１ａが設けられている。
【００１１】
冷蔵室１４内には、複数の棚４０が水平に設けられ、下部にはチルド室４２が設けられている。このチルド室４２は低温室であって、上下二段の上容器６０と下容器６２に肉や魚を収納する。チルド室４２については、後から詳しく説明する。冷蔵室１４の扉１４ａの背面には複数のドアポケット４４が設けられている。野菜室１６には、引出し式の野菜容器４６、４８が設けられている。
【００１２】
冷蔵室１４の背面下部から野菜室１６の背面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１５で囲まれたＲエバ室１７に配されている。
【００１３】
小型冷凍室１８、製氷室２１の背面から冷凍室２０の背面にかけてのＦエバ室２９には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１４】
図２に示すようにＲエバ２８で冷却された冷気は、Ｒファン３０によって冷蔵室１４、チルド室４２及び野菜室１６に送風される。Ｆエバ３２で冷却された冷気は、Ｆファン３４によって小型冷凍室１８、製氷室２１、冷凍室２０に送風される。
【００１５】
キャビネット１２の背面底部には、機械室２２が設けられ、冷凍サイクル６２を構成する圧縮機２４などが載置されている。この機械室２２の背面上部には、制御板２６が設けられている。
【００１６】
（２）チルド室４２の構造
チルド室４２の構造について図３〜図８に基づいて説明する。
【００１７】
図３に示すように、冷蔵室１４の下部に設けられたチルド室４２は、冷蔵室１４の向かって右側に設けられ、左側にはタンク５０が配されている。タンク５０は、製氷室２１に設けられている製氷装置の製氷皿に水を供給するために配されている。
【００１８】
チルド室４２は、図５に示すように天井板５２と、タンク５０との境界に設けられた左板５４と、冷蔵室１４の右側面を構成している右板５６と、冷蔵室１４の背面を構成している背板５８と、冷蔵室１４の底面を構成している仕切体３８により囲まれ、チルド室４２内部には引き出し式の上容器６０と下容器６２が上下２段に配されている。また、天井板５２の前端部から上容器６０の前端部の間には、回動自在の蓋６４が吊り下げられている。
【００１９】
上容器６０は、前面板６０１、左右一対の側面板６０２、背面板６０３、底面板６０４から構成され、上面が開口している。また、前面板６０１の前部には上手掛け部６０５が形成されている。上手掛け部６０５は下部が開口し、上部が閉塞し、上手掛け部６０５の下端部中央には上切欠き部６０６が四角状に切り欠かれている。すなわち、上容器６０の前面板６０１の前方に上手掛け部６０５を上から被さるように設けられ、前面板６０１と上手掛け部６０５の間に手が挿入できる挿入空間６１５が形成される。また、前面板６０１の下部は段部６０８が形成されている。この段部６０８は、上手掛け部６０５の下方から指をより挿入し易くするためである（図７参照）。上手掛け部６０５の前面は階段状に形成され光散乱面６０７が形成されている。前面板６０１と底面板６０４の合わさっている角部には、図６〜図８に示すように、複数のスリット状の冷気流通孔６０９が幅方向に所定間隔毎に複数開口している。上容器６０の左右一対の側面板６０２は、前部から中央部に行くほど上方に膨らむ膨らみ部６１４が形成されている。この膨らみ部６１４は、蓋６４を押し上げる。図４と図５に示すように、上容器６０の左右一対の側面板６０２，６０２の外側には前後方向に左右一対の突条のレール６１０がそれぞれ突出している。図５に示すように、左右一対のレール６１０，６１０に対応して、左板５４と右板５６にはレール受け６１２が前後方向にそれぞれ形成されている。
【００２０】
下容器６２は、仕切体３８に引き出し自在に配され、前面板６２１、左右一対の側面板６２２、背面板６２３、底面板６２４より構成され、上面が開口している。また、前面板６２１の前部には下手掛け部６２５が形成されている。下手掛け部６２５は、下部が閉塞し、上部が開口し、下手掛け部６２５の上端部中央には下切欠き部６２６が四角状に切り欠かれている。すなわち、下容器６２の前面板６２１の前方に下手掛け部６２５が下から被さるように形成され、前面板６２１と下手掛け部６２５の間に手が挿入できる挿入空間６３０が形成される。図４と図５に示すように、仕切板３８の上面には左右一対の載置突条６２７が前後方向に突出し、この上に下容器６２が載置されている。図４と図５に示すように、下容器６２の左右一対の側面板６２２，６２２には左右一対の突条のレール６２８がそれぞれ突出している。チルド室４２の左板５４と右板５６には、レール６２８に対応したレール受け６２９が前後方向にそれぞれ形成されている。図４に示すように、下容器６２の前部下部が底上げ状態になっているのは、仕切体３８の前部が上方に膨らんでいるため、下容器６２を前方に引き出した場合にその膨らみに対応させるためである。下容器６２の背面板６２３には、複数の吹き出し口６３２が設けられている。
【００２１】
シール部材である蓋６４は、チルド室４２の天井板５２の前端部からヒンジ結合によって回動自在に、かつ、垂れ下がるように取り付けられている。蓋６４は、前面の断面形状が円弧状であり、蓋６４の上端部から後方に向かって左右一対のヒンジ片７０が突出している。また、天井板５２の前端部から左右一対のヒンジ支持片７２が突出し、ヒンジ支持片７２と蓋６４のヒンジ片７０とが、ヒンジ軸７４を介して回動自在にヒンジ結合している。蓋６４の下端の縁部は、後方に折り返されフランジ部７６が形成されている。蓋６４の円弧状の前面の上下方向の寸法は、天井板５２の前端部から上容器６０の上前端部までの寸法に相当し、蓋６４のフランジ部７６は、上容器６０の上手掛け部６０５の上面より若干上方に位置している。蓋６４の左端部には、押圧片６８が形成されている。これにより、蓋６４は、図７に示すように、上容器６０を前方に引き出すと側面板６０２の前端部と膨らみ部６１４によって押圧片６８が押圧されてヒンジ軸７４を中心に上方に回転して蓋６４が開き、上容器６２の引き出しの障害とならない。
【００２２】
チルド室４２の背面５８の上部には、図４と図５に示すように、吹き出し口６６が開口している。吹き出し口６６は、Ｒエバ２８で冷却された冷気をチルド室４２に送風するために開口し、Ｒエバ２８によって冷却された冷気が、吹き出し口６６からチルド室４２内に吹き出されて上容器６０に侵入し、上容器６０内の肉や魚を冷却する。
【００２３】
（３）チルド室４２における作用
チルド室４２における作用について説明する。図４と図５に示すように、Ｒエバ２８によって冷却された冷気が、複数の吹き出し口６６からチルド室４２内に吹き出されて上容器６０に開口した上面から侵入する。そして上容器６０内の肉や魚などの食品を冷却する。このとき、上容器６０の上方前面は、蓋６０によってシールされているため、冷気がチルド室４２の外に出ることなく、上容器６０内の肉や魚などの食品を０°〜２°のチルド温度に冷却できる。
【００２４】
図５と図６に示すように、上容器６０を冷却した冷気は、上容器６０の前面下部にある複数の冷気流通孔６０９を通って下容器６２の開口した上面に流れ込む。上容器６０から流れ込んだ冷気は、下容器６２内の肉や魚などの食品を冷却し、下容器６２の背面板６２３に開口した吹き出し口６３２から外部に排出される。この場合に、上容器６０を冷却した冷気が、他の部分に流れることなく下容器６２に侵入するため、下容器６２内の温度は、肉や魚に適したチルド温度に維持できる。
【００２５】
図７に示すように、ユーザは、上容器６０を引き出すときは、下方が開口した上手掛け部６０５の上切欠き部６０６に下方から手を入れて前方に引き出す。すると上容器６０のレール６１０はレール受け６１２に沿って移動し、上容器６０を簡単に引き出すことができる。また、左右一対の側面板６０２の前端部と膨らみ部６１４が蓋６４を押し上げるので、蓋６４が食品の取り出しの障害とならない。
【００２６】
図８に示すように、ユーザは、下容器６２を引き出すときは、上方が開口した下手掛け部６２５の下切欠き部６２６に上方から手を入れて前方に引き出すと、下容器６２のレール６２８がレール受け６２９に沿って移動し、下容器６２の底面板６２４が載置突条６２７に載置された状態で前方に移動し、下容器６２を簡単に引き出すことができる。このときユーザは、図８に示すように、上方から下手掛け部６２５に手を入れるため、冷蔵室１４の底面に相当する仕切体３８に手が当たることがない。
【００２７】
（４）効果
本実施形態の冷蔵庫１０であると、チルド室４２の天井板５２に回動自在に吊り下げられた蓋６４が、上容器６０の前面板６０１の上部まで垂れ下がり、チルド室４２をシールし、吹き出し口６６からの冷気が冷蔵室１４の他の部分に逃げ出すことがない。また、上容器６０と下容器６２の前部は、前面板６０１と前面板６２１によってそれぞれシールされているため、冷気が漏れることがない。
【００２８】
また、蓋６４の下端にフランジ部７６が設けられているため、上容器６０の上端部との隙間から冷気が漏れにくい。
【００２９】
また、図４と図６に示すように、上容器６０の前面板６０１から底面板６０４にかけて冷気通風孔６０９が開口しているため、上容器６０に侵入した冷気が、他の部分に逃げることなく冷気流通孔６０９を経て下容器６２内に侵入しやすい。
【００３０】
（５）変更例１
変更例１について図９に基づいて説明する。上記実施形態では蓋６４は天井板５２に対し開閉自在に設けたが、本変更例では、蓋６４に代えて柔軟性のある合成樹脂やゴムなどによって形成したシール板７８を用いる。シール板７８は、天井板５２の前端部から上容器６０の前面板６０１の上部まで垂れ下がるように、かつ、天井板５２の幅方向全てにわたり取り付ける。
【００３１】
本変更例では、このシール板７８が、上容器６０の前面板６０１の上部まで垂れ下がっているので、チルド室４２内をシールし、吹き出し口６６からの冷気が冷蔵室１４の他の部分に逃げ出すことがない。また、ユーザが、上容器６０を前方に引き出すときは、この柔軟性のあるシール板７８が上容器６０によって押し上げられ、引き出しの障害とはならない。
【００３２】
（６）変更例２
変更例２について図１０に基づいて説明する。上記実施形態では蓋６４は天井板５２の前端部に対し回動自在に設けたが、これに代えて、本変更例では、板状の蓋８０を下方にスライドできるように取り付ける。すなわち、チルド室４２の天井板５２の前端部における左右一対の左板５４と右板５６にそれぞれ上下方向にスライド溝８２，８２を設け、また、板状の蓋８０の両側部の上下にそれぞれ突部８４，８４を突出させ、この上下にある突部８４，８４がスライド溝８２と係合して、蓋８０が上下方向にスライド自在にする。
【００３３】
この板状の蓋８０であっても、チルド室４２内をシールし、吹き出し口６６からの冷気が冷蔵室１４の他の部分に逃げ出すことがない。
【００３４】
ユーザが、上容器６０を前方に引き出すときは、図１０の二点鎖線に示すように板状の蓋８０を下容器６２の前方までスライドさせ、上容器６０の前方を開放して引き出す。また、下容器６２を引き出すときは、蓋８０を上容器６０の上方にそのまま位置させ、前方に引き出す。
【００３５】
（７）その他の変更例
上記実施形態では、チルド室４２内には上容器６０と下容器６２の上下２段の容器を配したが、これに限らず１つの引き出し式容器をチルド室４２内に配してもよい。このときには、蓋６４は、その容器の前端の上端部まで垂れ下がるように取り付ける。
【００３６】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３７】
１０・・・冷蔵庫、１４・・・冷蔵室、３８・・・仕切体、４２・・・チルド室、６０・・・上容器、６２・・・下容器、６４・・・蓋、６０５・・・上手掛け部、６０６・・・上切欠き部、６０７・・・光散乱面、６０９・・・冷気流通孔、６２５・・・下手掛け部、６２６・・・下切欠き部
【図１】
0006698284.tif 000002
【図２】
0006698284.tif 000003
【図３】
0006698284.tif 000004
【図４】
0006698284.tif 000005
【図５】
0006698284.tif 000006
【図６】
0006698284.tif 000007
【図７】
0006698284.tif 000008
【図８】
0006698284.tif 000009
【図９】
0006698284.tif 000010
【図１０】
0006698284.tif 000011